(57)【要約】【課題】使用済みになった箱をワンタッチで簡単に扁平状に押し潰せるようにする。【解決手段】この箱Ｃ１は、両側面板１５、１６に各側面板１５、１６の底面板１２側の端縁部の両端から天面板１４側の端縁部に向けて略三角形状に延びる切り込み線ｄ２からなる解体機能部１５Ｄ、１６Ｄを付設され、底面板１２の幅方向中央に各側面板１５、１６の解体機能部１５Ｄ、１６Ｄの中央に向けて直線状に延びる切り込み線ｄ２からなる解体機能部１２Ｄを付設されて、正面板１１から背面板１３に向けて又はその反対に圧することにより、箱Ｃ１を扁平状に圧潰するようにした。【選択図】図４
2019142538.tif 000002
【特許請求の範囲】
【請求項１】
正面板、背面板、天面板、底面板及び両側面板を備え、医薬品その他各種の物品を包装する包装用箱において、
前記両側面板に付設され、前記各側面板の前記底面板側の端縁部の両端から前記天面板側の端縁部に向けて略台形状又は略三角形状又は略円弧状又は略半円状に延びる罫線又は切り込み線又はこれらの組み合わせ又は破断線からなる解体機能部と、
前記底面板の幅方向中央に付設され、前記各側面板の解体機能部の中央に向けて直線状に延びる罫線又は切り込み線又はこれらの組み合わせからなる解体機能部と、
を備え、
前記正面板から前記底面板に向けて又はその反対に圧することにより、箱は扁平状に圧潰される、
ことを特徴とする解体機能付き包装用箱。
【請求項２】
両側面板の幅方向中央で前記各側面板の底面板側の端縁部と前記各側面板の解体機能部との間に付設され、前記各側面板の解体機能部の中央に向けて直線状に延びる罫線又は切り込み線又はこれらの組み合わせからなる解体機能部を併せて備える請求項１に記載の解体機能付き包装用箱。
【請求項３】
底面板の両端に付設され、前記底面板の各側面板側の端縁部の両端から相互に他方の端縁部に向けて略台形状又は略三角形状又は略円弧状又は略半円状に延びる破断線からなる解体機能部を併せて備える請求項１又は２に記載の解体機能付き包装用箱。
【請求項４】
底面板の幅方向中央の解体機能部は、前記底面板の各側面板側の各端部で、前記底面板の各側面板側の端縁部の両端に向けて略Ｖ字形に延びる請求項１又は２に記載の解体機能付き包装用箱。
【請求項５】
破断線はジッパー線からなる請求項１乃至４のいずれかに記載の解体機能付き包装用箱。
【請求項６】
包装用箱は、一枚のブランクシートから一体的に打ち抜かれて形成される紙基材からなり、前記紙基材は、正面板、底面板、背面板及び天面板が順次相互に平行に連接される４面板と、前記底面板の両端縁部から延びる一対の側面板と、前記各側面板の両側縁部から延び、前記正面板、前記背面板に接着される一対の接着片、及び前記各側面板の先端縁部から延び、前記天面板の内側に配置される一対のフラップとを備え、箱の組立てと同時に物品を包装するラップラウンド形式の箱をなす請求項１乃至５のいずれかに記載の解体機能付き包装用箱。
【発明の詳細な説明】
【技術分野】
【０００１】
本発明は、医薬品などの物品を収納するのに使用する解体機能付き包装用箱に関する。
【背景技術】
【０００２】
一般に、医薬品を包装する包装用箱は、正面板、背面板、天面板、底面板及び左右両側面板を備えて構成され、全体の形状は概ね横長又は縦長の直方体状で、大きさは収納する医薬品の数量によってさまざまである。
また、近時は、使用済みの箱を廃棄する際に、嵩張らないように平らな状態に解体できる包装用箱が提案されており、このような箱の解体機能は大量の箱が廃棄される病院の薬局や調剤薬局ではとりわけ有用といえる。
【０００３】
この種の包装用箱が特許文献１により提案されている。
この文献１の包装用箱はラップラウンド形式の箱で、箱を構成する箱体形成片が正面板、底面板、背面板及び上蓋片を順に互いに平行に連接され、これら正面板、底面板、背面板及び上蓋片の連接方向に対して直角な各端辺に側面フラップを有している。そしてこの箱体形成片には、解体機能部として、底面板に端辺の両端を起点とする破断線が付されて、この破断線で囲まれた部分が押込部になっている。
このようにして箱体形成片上に包装しようとする物品を載せ、この物品を包み込むように箱体形成片を折り曲げて、箱の組立てと同時に物品を包装できるようになっている。そして、箱に包装された物品を使い切り、使用済みになった箱は、箱の底面板の押込部を指で押し破り、底板面と側面部を外側に引き出しながら中央部で折り曲げることにより、正面板と背面板が重なるように平らに折り畳むことができ、箱を嵩張ることなく廃棄できるようになっている。
【先行技術文献】
【特許文献】
【０００４】
【特許文献１】特開２０１１−１６８２８２号公報
【発明の概要】
【発明が解決しようとする課題】
【０００５】
ところで、病院の薬局や調剤薬局では、使用済みの薬の箱が大量に廃棄される。このため、特に多忙のときは、箱を一つ一つ折り畳んでいくよりも、箱をワンタッチで、つまり、箱に手で軽い打撃を加えることで、箱を押し潰すことができれば、手間がかからず作業効率がよく好ましい。
上記従来の包装用箱の場合、既述のとおり、箱の底面板の押込部を指で押し破り、底板面と側面部を外側に引き出しながら中央部で折り曲げて、正面板と背面板とを重ねて折り畳むようになっており、ワンタッチで押し潰すことができない。因みに、上記従来の箱の試作品を作り、正面板から背面板に向けて各板全体を軽く叩いてみたところ、箱は、破断線で破断されず、折曲線上で折れ曲がらず、折曲線とは異なるところで折れ曲がる結果となり、箱全体がゆがんでしまい、平らに押し潰すことはできなかった。
【０００６】
本発明は、このような従来の問題を解決するもので、この種の解体機能付き包装用箱において、使用済みになった箱をワンタッチで簡単かつ迅速に扁平状に押し潰せるようにして、使用済みの箱の廃棄の作業効率を高めること、を目的とする。
【課題を解決するための手段】
【０００７】
上記目的を達成するために、本発明の解体機能付き包装用箱は、
正面板、背面板、天面板、底面板及び両側面板を備え、医薬品その他各種の物品を包装する包装用箱において、
前記両側面板に付設され、前記各側面板の前記底面板側の端縁部の両端から前記天面板側の端縁部に向けて略台形状又は略三角形状又は略円弧状又は略半円状に延びる罫線又は切り込み線又はこれらの組み合わせ又は破断線からなる解体機能部と、
前記底面板の幅方向中央に付設され、前記各側面板の解体機能部の中央に向けて直線状に延びる罫線又は切り込み線又はこれらの組み合わせからなる解体機能部と、
を備え、
前記正面板から前記底面板に向けて又はその反対に圧することにより、箱は扁平状に圧潰される、
ことを要旨とする。
この包装用箱はまた、次のような構成を備えることが好ましい。
（イ）両側面板の幅方向中央で前記各側面板の底面板側の端縁部と前記各側面板の解体機能部との間に付設され、前記各側面板の解体機能部の中央に向けて直線状に延びる罫線又は切り込み線又はこれらの組み合わせからなる解体機能部を併せて備える。
（ロ）底面板の両端に付設され、前記底面板の各側面板側の端縁部の両端から相互に他方の端縁部に向けて略台形状又は略三角形状又は略円弧状又は略半円状に延びる破断線からなる解体機能部を併せて備える。
（ハ）上記（ロ）に代えて、底面板の幅方向中央の解体機能部は、前記底面板の各側面板側の各端部で、前記底面板の各側面板側の端縁部の両端に向けて略Ｖ字形に延びる。
（ニ）破断線はジッパー線からなる。
（ホ）包装用箱は、一枚のブランクシートから一体的に打ち抜かれて形成される紙基材からなり、前記紙基材は、正面板、底面板、背面板及び天面板が順次相互に平行に連接される４面板と、前記底面板の両端縁部から延びる一対の側面板と、前記各側面板の両側縁部から延び、前記正面板、前記背面板に接着される一対の接着片、及び前記各側面板の先端縁部から延び、前記天面板の内側に配置される一対のフラップとを備え、箱の組立てと同時に物品を包装するラップラウンド形式の箱をなす。
【発明の効果】
【０００８】
本発明の解体機能付き包装用箱によれば、上記のとおり、両側面板に付設され、各側面板の底面板側の端縁部の両端から天面板側の端縁部に向けて略台形状又は略三角形状又は略円弧状又は略半円状に延びる罫線又は切り込み線又はこれらの組み合わせ又は破断線からなる解体機能部と、底面板の幅方向中央に付設され、各側面板の解体機能部の中央に向けて直線状に延びる罫線又は切り込み線又はこれらの組み合わせからなる解体機能部とを備え、正面板から底面板に向けて又はその反対に圧することにより、箱を扁平状に圧潰するようにしたので、使用済みになった箱をワンタッチで簡単かつ迅速に扁平状に押し潰して、使用済みの箱の廃棄の作業効率を著しく高めることができる、という本発明独自の格別な効果を奏する。
【図面の簡単な説明】
【０００９】
【図１】本発明の第１の実施の形態における解体機能付き包装用箱の外部構成を示す図（斜視図）
【図２】同箱を展開した状態を示す図（展開図）
【図３】同箱の開封状態を示す図（斜視図）
【図４】同箱の解体（押し潰す）前の状態を示す図（斜視図）
【図５】同箱の解体（押し潰した）時の状態を示す図（斜視図）
【図６】同箱の解体（押し潰した）後の状態を示す図（斜視図）
【図７】本発明の第２の実施の形態における解体機能付き包装用箱の外部構成を示す図（展開図）
【図８】同箱の解体（押し潰した）後の状態を示す図（斜視図）
【図９】本発明の第３の実施の形態における解体機能付き包装用箱の外部構成を示す図（展開図）
【図１０】同箱の解体（押し潰した）後の状態を示す図（斜視図）
【図１１】本発明の第４の実施の形態における解体機能付き包装用箱の外部構成を示す図（展開図）
【図１２】同箱の解体（押し潰される）過程を示す図（斜視図）
【発明を実施するための形態】
【００１０】
次に、この発明を実施するための形態について図を用いて説明する。
図１、図２に第１の実施の形態を示している。図１は解体機能付き包装用箱の全体構成を示す斜視図であり、図２は解体機能付き包装用箱の展開図である。
【００１１】
図１に示すように、解体機能付き包装用箱Ｃ１（以下、包装用箱Ｃ１又は箱Ｃ１という場合がある。）は、医薬品の包装に用いるもので、所謂板紙と呼ばれる比較的厚さがあり直立性のある紙材により形成され、正面板１１、背面板１３、天面板１４、底面板１２及び（左右）両側面板１５、１６を備える。
【００１２】
この箱Ｃ１の場合、正面板１１、背面板１３はそれぞれ、略同じ大きさの横長の長方形、天面板１４、底面板１２はそれぞれ、略同じ大きさの少し横長の長方形で、左右の両側面板１５、１６はそれぞれ、正面板１１、背面板１３よりも幅が狭い同じ大きさの少し横長の長方形になっており、全体として幅８８ｍｍ、奥行き６３ｍｍ、高さ５５ｍｍの横に長い直方体状の箱になっている。
【００１３】
この箱Ｃ１は、図２に示すように、全体が一枚のブランクシートから一体的に打ち抜かれて形成される一枚の紙基材Ｐからなる。
この紙基材Ｐは、正面板１１、底面板１２、背面板１３及び天面板１４が順次相互に平行に連接される４面板と、底面板１２の両端縁部から延びる左右一対の側面板１５、１６と、各側面板１５、１６の（上下）両側縁部から延び、正面板１１、背面板１３に接着される一対の接着片１７、１８、及び各側面板１５、１６の先端縁部（左端縁部、右端縁部）から延び、天面板１４の内側に配置される一対のフラップ１９、２０とを備える。
この場合、４面板１１−１４は全体が縦長の帯状に形成され、上端に正面板１１が横長の長方形に形成され、この正面板１１の下側縁部に罫線Ｌ１を介して連接して底面板１２が横長の長方形に形成され、この底面板１２の下側縁部に罫線Ｌ２を介して連接して背面板１３が横長の長方形に形成され、この背面板１３の下側縁部に罫線Ｌ３を介して連接して天面板１４が横長の長方形に形成され、この天面板１４の下側端部に罫線Ｌ４を介して連接して延長片１４１が横長の略長方形に形成される。また、正面板１１においては上側縁部の中間部が下方に向けて凹の円弧状に形成され、その上下方向中央よりも少し下方で左右方向中央に横長の略ハット形に切り込み１１１が形成される。そしてこの正面板１１の切り込み１１１に対応して、延長片１４１の上下方向中央よりも少し下方で左右方向中央に横長の略台形に開口１４０が形成され、開口１４０の下部側の両角部から天面板１４側へ少し斜めに延長片１４１の左右両端縁部までジッパー線からなる破断線１４２が付設されて、破断線１４２の下部側に正面板１１への接着部１４３が形成され、破断線１４２の上部側の開口１４０（延長片１４１が破断線１４２により接着部１４３から切り離されると凹状部１４０となる（図３参照））の両側に正面板１１の切り込み１１１に挿入可能な略三角形状の係止爪１４４を形成される。
また、この場合、左右一対の側面板１５、１６はそれぞれ、底面板１２の左右両端縁部に罫線Ｌ５、Ｌ６を介して連接して少し縦長の長方形に形成され、一対の接着片１７、１８はそれぞれ、各側面板１５、１６の上下両側縁部に罫線Ｌ７，Ｌ８、Ｌ９，Ｌ１０を介して連接して台形に形成され、一対のフラップ１９、２０は左側の一方が左側一方の側面板１５の左端縁部に罫線Ｌ１１を介して連接して台形に形成され、右側の他方は右側他方の側面板１６の右端縁部に罫線Ｌ１２を介して連接して台形に形成される。
かくして紙基材Ｐは箱Ｃ１の組立てと同時に医薬品を包装するラップラウンド形式の箱をなす。
【００１４】
そして、この包装用箱Ｃ１には、左右両側面板１５、１６、底面板１２、各フラップ１９、２０にそれぞれ、解体機能部１５Ｄ，１５１Ｄ、１６Ｄ，１６１Ｄ、１２Ｄ、１９Ｄ、２０Ｄを備える。
この場合、左右両側面板１５、１６には底面板１２側の端部側半面に、各側面板１５、１６の底面板１２側の端縁部の両端から天面板１４側の端縁部に向けて略三角形状に切り込み線（この場合、ミシン目線）ｄ２からなる解体機能部１５Ｄ、１６Ｄが付設される。なお、ここでは、解体機能部１５Ｄ、１６Ｄを略三角形状の切り込み線ｄ２からなるものとしたが、略台形状又は略三角形状又は略円弧状又は略半円状の罫線又は切り込み線又はこれらの組み合わせ又は破断線としてもよい。
また、底面板１２には幅方向中央に、底面板１２の左側面板１５側の端縁部から右側面板１６側の端縁部にかけて、各側面板１５、１６の解体機能部１５Ｄ、１６Ｄの中央、この場合、三角形状の切り込み線ｄ２の頂部に向けて直線状に延びる切り込み線（この場合、ミシン目線）ｄ２からなる解体機能部１２Ｄを付設される。なお、ここでは、解体機能部１２Ｄを直線状の切り込み線ｄ２からなるものとしたが、直線状の罫線又は切り込み線又はこれらの組み合わせとしてもよい。
また、この場合、左右両側面板１５、１６の幅方向中央で各側面板１５、１６の底面板１２側の各端縁部と各側面板１５、１６の解体機能部１５Ｄ、１６Ｄとの間に、各側面板１５、１６の解体機能部１５Ｄ、１６Ｄの中央に向けて、つまり、底面板１２の切り込み線ｄ２の延長上で各側面板１５、１６の略三角形状の切り込み線ｄ２の頂部に向けて直線状に延びる切り込み線ｄ２（この場合、ミシン目線）からなる解体機能部１５１Ｄ、１６１Ｄが併せて付設される。なお、ここでは、解体機能部１５１Ｄ、１６１Ｄを直線状の切り込み線ｄ２からなるものとしたが、直線状の罫線又は切り込み線又はこれらの組み合わせとしてもよい。
さらに、この場合、両側面板１５、１６に連接される各フラップ１９、２０においても、幅方向中央に、各フラップ１９、２０の左端縁部付近から右端縁部付近まで、各側面板１５、１６の解体機能部１５Ｄ、１６Ｄの中央、この場合、略三角形状の切り込み線ｄ２の頂部に向けて直線状に延びる切り込み線ｄ２からなる解体機能部１９Ｄ、２０Ｄを付設される。なお、ここでは、解体機能部１９Ｄ、２０Ｄを直線状の切り込み線ｄ２からなるものとしたが、直線状の罫線又は切り込み線又はこれらの組み合わせとしてもよい。
このようにして正面板１１から背面板１３に向けて又はその反対に圧することにより、つまり、正面板１１を背面板１３に向けて又はその反対に軽く打撃を加えたり押し込んだりすることにより、箱Ｃ１が扁平状に圧潰されるようになっている。
【００１５】
この包装用箱Ｃ１はかかる構成からなり、この箱Ｃ１がラップラウンド形式になっているので、この箱Ｃ１による医薬品の包装は、この箱Ｃ１の組立てと同時に行われる。この場合、紙基材Ｐの各部、すなわち、正面板１１、底面板１２、背面板１３、天面板１４、左右両側面板１５、１６を箱形（この場合、横長の直方体状）に組み立てながら医薬品を箱Ｃ１に内包し、左右両側面の１５、１６の各接着片１７、１８と正面板１１、背面板１３の内面とをホットメルトを介して接着し、延長片１４１を正面板１１の外面に重ねて接着部１４３を正面板１１の外面にホットメルトを介して接着して、医薬品を包装する（図１参照）。
また、この箱Ｃ１に包装された医薬品が病院や調剤薬局などで使用される際は、図３に示すように、天面板１４が切り開かれて開封され、箱Ｃ１の中から医薬品が取り出される。この場合、天面板１４先端の延長片１４１の開口１４０の縁部に指を掛けて、延長片１４１の破断線１４２よりも上の部分を引き上げて、延長片１４１を破断線１４２に沿って正面板１１から切り離し、そのまま天面板１４を引き上げれば、箱Ｃ１の天面が開口され、天面の開口から医薬品を取り出すことができる。なお、延長片１４１の開口１４０の縁部に指を掛ける際に、この開口１４０に対応して正面板１１に切り込み１１１が形成されているので、指が開口１４０の奥まで入りやすく、開口１４０縁部に指が掛かりやすくなっている。そして、天面板１４の開封後は、天面板１４で天面の開口を閉じ、天面板１４先端の各係止爪１４４を正面板１１の内側に差し込むことで、天面の開口を再封することができる。
そして、箱Ｃ１の中の医薬品をすべて取り出し、使用済みになった箱Ｃ１は、箱Ｃ１の各部に付設された解体機能部１５Ｄ，１５１Ｄ、１６Ｄ，１６１Ｄ、１２Ｄ、１９Ｄ、２０Ｄにより、箱Ｃ１全体を扁平に潰して廃棄することができる。
【００１６】
図４−図６にこの箱Ｃ１の解体機能部１５Ｄ，１５１Ｄ、１６Ｄ，１６１Ｄ、１２Ｄ、１９Ｄ、２０Ｄによる解体方法を示している。なお、この場合、箱Ｃ１は使用済みの箱なので、天面板１４は切り開かれて開封状態になっている。
まず、図４に示すように、箱Ｃ１を、正面板１１（又は背面板１３）を上に向けて、机やテーブルあるいは台の上など平らな所に置く。そして、図５に示すように、片手又は両手で正面板１１から背面板１３に向けて（又はその反対に）各板１１、１３全体に軽く打撃を加える（つまり、軽く叩く）と、図６に示すように、左右の各側面板１５、１６は、各側面板１５、１６の解体機能部１５Ｄ及び１５１Ｄ、１６Ｄ及び１６１Ｄ、つまり、略三角形状の各切り込み線ｄ２及び直線状の各切り込み線ｄ２、各フラップ１９、２０の解体機能部１９Ｄ、２０Ｄ、つまり、直線状の各切り込み線ｄ２の各案内により、各側面板１５、１６の底面板１２側の罫線Ｌ５、Ｌ６と略三角形状の切り込み線ｄ２で囲まれた略三角形の部分が箱Ｃ１の内側に引き込まれながら、各側面板１５、１６の幅方向中央で折れて、箱Ｃ１の外側に突出して偏平状に折り畳まれ、底面板１２は、底面板１２の解体機能部１２Ｄ、つまり、直線状の切り込み線ｄ２の案内により、この切り込み線ｄ２が箱Ｃ１の中に引き込まれながら、底面板１２の幅方向中央で折れて、箱Ｃ１の内側に偏平状に折り畳まれ、全体として略偏平状に圧潰される。
これにより、使用済みの箱Ｃ１を扁平状に小さくして廃棄することができる。
【００１７】
以上説明したように、この解体機能付き包装用箱Ｃ１によれば、左右両側面板１５、１６に付設され、各側面板１５、１６の底面板１２側の端縁部の両端から天面板１４側の端縁部に向けて略台形状又は略三角形状又は略円弧状又は略半円状に延びる罫線又は切り込み線又はこれらの組み合わせ又は破断線からなる解体機能部１５Ｄ、１６Ｄと、底面板１２の幅方向中央に付設され、各側面板１５、１６の解体機能部１５Ｄ、１６Ｄの中央に向けて直線状に延びる罫線又は切り込み線又はこれらの組み合わせからなる解体機能部と１２Ｄを備え、正面板１１から背面板１３に向けて又はその反対に圧することにより、箱Ｃ１を扁平状に圧潰するようにしたので、使用済みになった箱Ｃ１をワンタッチで簡単かつ迅速に扁平状に押し潰すことができる。特に、この包装用箱Ｃ１の場合、箱Ｃ１の組立てと同時に物品を包装するラップラウンド形式で、両側面板１５、１６の両側の各接着片１７、１８が正面板１１及び背面板１３の内面に接着されて、箱Ｃ１の４側面板の各角部近傍が２重構造になって、外力に対して強度が高くなっているが、両側面板１５、１６及び底面板１２に解体機能部１５Ｄ、１６Ｄ及び１２Ｄを有することにより、正面板１１から背面板１３に向けて又はその反対に軽く打撃を加えるだけで、簡単に平らな状態に解体することができる。また、この箱Ｃ１にあっては、さらに、両側面板１５、１６の幅方向中央で各側面板１５、１６の底面板１２側の端縁部と各側面板１５、１６の解体機能部１５Ｄ、１６Ｄとの間に、各側面板１５、１６の解体機能部１５Ｄ、１６Ｄの中央に向けて直線状に延びる罫線又は切り込み線又はこれらの組み合わせからなる解体機能部１５１Ｄ、１６１Ｄを、両側面板１５、１６に連接される各フラップ１９、２０の幅方向中央に、各側面板１５、１６の解体機能部１５Ｄ、１６Ｄの中央に向けて直線状に延びる罫線又は切り込み線又はこれらの組み合わせからなる解体機能部１９Ｄ、２０Ｄを併せて備えているので、箱Ｃ１の正面板１１から背面板１３に向けて又はその反対への加圧により、各側面板１５、１６が各フラップ１９、２０とともにより折り曲げやすくなって、各側面板１５、１６及び底面板１２の各解体機能部１５Ｄ、１６Ｄ、１２Ｄと同様に作用して、箱Ｃ１を一層簡単に扁平状に押し潰すことができる。
これにより、医療従事者による使用済みの箱Ｃ１の廃棄の作業効率を著しく高めることができる。
【００１８】
続いて、図７−図１０を用いて第２−第４の実施の形態について説明する。なお、これらの解体機能付き包装用箱Ｃ２−Ｃ４もまた、特に医薬品の包装に用いるものである。
【００１９】
図７、図８に第２の実施の形態を示している。
図７に示すように、この包装用箱Ｃ２は第１の実施の形態と共通の紙基材Ｐからなり、箱Ｃ２それ自体は第１の実施の形態と共通の箱になっていて、解体機能部が一部異なる。ここでは、箱Ｃ２それ自体については、第１の実施の形態と同じ符号を付してその説明を省略し、この箱Ｃ２の解体機能部についてのみ、第１の実施の形態と同じ部分には同じ符号を付し、異なる部分には新たな符号を付して、説明する。
【００２０】
この包装用箱Ｃ２においても、左右両側面板１５、１６、底面板１２、各フラップ１９、２０にそれぞれ、解体機能部１５Ｄ，１５１Ｄ、１６Ｄ，１６１Ｄ、１２Ｄ、１９Ｄ、２０Ｄを備える。
この場合、両側面板１５、１６には底面板１２側の端部側半面に、各側面板１５、１６の底面板１２側の端縁部の両端から天面板１４側の端縁部に向けて略三角形状に延びる切り込み線（この場合、ミシン目線）ｄ２からなる解体機能部１５Ｄ、１６Ｄが付設される。なお、ここでは、解体機能部１５Ｄ、１６Ｄを略三角形状の切り込み線ｄ２からなるものとしたが、略台形状又は略三角形状又は略円弧状又は略半円状の罫線又は切り込み線又はこれらの組み合わせ又は破断線としてもよい。
底面板１２には両端に、底面板１２の各側面板１５、１６側の端縁部の両端から相互に他方の端縁部に向けて台形状に延びるジッパー線の破断線ｄ３からなる解体機能部１２１Ｄが付設される。なお、ここでは、解体機能部１２１Ｄを略台形状の破断線ｄ３からなるものとしたが、略台形状又は略三角形状又は略円弧状又は略半円状の破断線としてもよい。そして、この底面板１２の幅方向中央で、各略台形状の破断線ｄ３の間に直線状に延びる罫線ｄ１及び切り込み線（この場合、ミシン目線）ｄ２の組み合わせからなる解体機能部１２Ｄを付設され、さらに、この底面板１２の幅方向中央で、底面板１２の左側面板１５側の端縁部（罫線Ｌ５）と左側の略台形状の破断線ｄ３の頂部との間、及び底面板１２の右側面板１６側の端縁部（罫線Ｌ６）と右側の略台形状の破断線ｄ３の頂部との間に、それぞれ、直線状の罫線ｄ１なる解体機能部１２Ｄが付設される。なお、前者の解体機能部１２Ｄを直線状の罫線ｄ１及び切り込み線ｄ２の組み合わせとしたが、直線状の罫線又は切り込み線としてもよく、後者の解体機能部１２Ｄを直線状の罫線ｄ１としたが、直線状の罫線又は切り込み線又はこれらの組み合わせとしてもよい。
また、この場合、左右両側面板１５、１６の幅方向中央で各側面板１５、１６の底面板１２側の端縁部（罫線Ｌ５、罫線Ｌ６）と各側面板１５、１６の解体機能部１５Ｄ、１６Ｄとの間に、各側面板１５、１６の解体機能部１５Ｄ、１６Ｄの中央に向けて、つまり、底面板１２の罫線ｄ１の延長上で各側面板１５、１６の略三角形状の切り込み線ｄ２の頂部に向けて直線状に延びる罫線ｄ１からなる解体機能部１５１Ｄ、１６１Ｄが併せて付設される。なお、ここでは、各解体機能部１５１Ｄ、１６１Ｄを直線状の罫線ｄ１からなるものとしたが、直線状の罫線又は切り込み線又はこれらの組み合わせとしてもよい。
さらに、この場合、両側面板１５、１６に連接される各フラップ１９、２０においても、幅方向中央に、各フラップ１９、２０の左端縁部付近から右端縁部付近まで、各側面板１５、１６の解体機能部１５Ｄの中央、この場合、略三角形状の切り込み線ｄ２の頂部に向けて直線状に延びる切り込み線ｄ２からなる解体機能部１９Ｄ、２０Ｄを付設される。なお、ここでは、解体機能部１９Ｄ、２０Ｄを直線状の切り込み線ｄ２からなるものとしたが、直線状の罫線又は切り込み線又はこれらの組み合わせとしてもよい。
【００２１】
このようにして箱Ｃ２は正面板１１から背面板１３に向けて又はその反対に圧することにより、つまり、正面板１１を背面板１３に向けて又はその反対に軽く打撃を加えたり押し込んだりすることにより、箱Ｃ２が扁平状に圧潰されるようになっている。
すなわち、箱Ｃ２を、正面板１１（又は背面板１３）を上に向けて、机やテーブルあるいは台の上など平らな所に置き、片手又は両手で正面板１１から背面板１３に向けて（又はその反対に）各板１１、１３全体に軽く打撃を加える（つまり、軽く叩く）と、図８に示すように、底面板１２の両端の各解体機能部１２１Ｄ、つまり、各破断線ｄ３が破断されて両端の略台形の部分が底面板１２から切り離され、左右の各側面板１５、１６は、各側面板１５、１６の解体機能部１５Ｄ及び１５１Ｄ、１６Ｄ及び１６１Ｄ、つまり、略三角形状の各切り込み線ｄ２、直線状の罫線ｄ１、各フラップ１９、２０の解体機能部１９Ｄ、２０Ｄ、つまり、直線状の各切り込み線ｄ２の各案内により、各側面板１５、１６の底面板１２側の罫線Ｌ５、Ｌ６と略三角形状の切り込み線ｄ２で囲まれた略三角形の各部分が底面板１２から切り離された各略台形の部分とともに箱Ｃ２の内側に引き込まれながら、各側面板１５、１６の幅方向中央で折れて、箱Ｃ２の外側に突出して偏平状に折り畳まれ、底面板１２は、底面板１２の解体機能部１２Ｄ、つまり、直線状の罫線ｄ１及び切り込み線ｄ２の組み合わせの案内により、この罫線ｄ１及び切り込み線ｄ２が箱Ｃ２の外側に突出し底面板１２の幅方向中央で折れて、箱Ｃ２の外側に偏平状に折り畳まれ、全体として略偏平状に圧潰される。
これにより、使用済みの箱Ｃ２を扁平状に小さくして廃棄することができる。
このようにしても第１の実施の形態と同様の作用効果を奏することができる。
【００２２】
図９、図１０に第３の実施の形態を示している。
図９に示すように、この包装用箱Ｃ３は第１の実施の形態と共通の紙基材Ｐからなり、箱Ｃ３それ自体は第１の実施の形態と共通の箱になっていて、解体機能部が一部異なる。ここでは、箱Ｃ３それ自体については、第１の実施の形態と同じ符号を付してその説明を省略し、この箱Ｃ３の解体機能部についてのみ、第１の実施の形態と同じ部分には同じ符号を付し、異なる部分には新たな符号を付して、説明する。
【００２３】
この包装用箱Ｃ３においても、左右両側面板１５、１６、底面板１２、各フラップ１９、２０にそれぞれ、解体機能部１５Ｄ，１５１Ｄ、１６Ｄ，１６１Ｄ、１２Ｄ、１９Ｄ、２０Ｄを備える。
この場合、左右両側面板１５、１６には底面板１２側の端部側半面に、各側面板１５、１６の底面板１２側の端縁部の両端から天面板１４側の端縁部に向けて略台形状に延びるジッパー線の破断線ｄ３からなる解体機能部１５Ｄ、１６Ｄが付設される。なお、ここでは、各解体機能部１５Ｄ、１６Ｄを略台形状の破断線ｄ３からなるものとしたが、略三角形状又は略円弧状又は略半円状の破断線としてもよい。
また、底面板１２には幅方向中央に、底面板１２の左側面板１５側の端縁部から右側面板１６側の側縁部にかけて、各側面板１５、１６の解体機能部１５Ｄ、１６Ｄの中央、この場合、略台形状の破断線ｄ３の頂部中央に向けて直線状に延びる切り込み線（この場合、ミシン目線）ｄ２からなる解体機能部１２Ｄを付設される。なお、ここでは、解体機能部１２Ｄを直線状の切り込み線ｄ２からなるものとしたが、直線状の罫線又は切り込み線又はこれらの組み合わせとしてもよい。
また、この場合、両側面板１５、１６の幅方向中央で各側面板１５、１６の底面板１２側の端縁部と各側面板１５、１６の解体機能部１５Ｄ、１６Ｄとの間に、各側面板１５、１６の解体機能部１５Ｄ、１６Ｄの中央に向けて、つまり、底面板１２の切り込み線ｄ２の延長上で各側面板１５、１６の略台形状の破断線ｄ３の頂部中央に向けて直線状に延びる切り込み線（この場合、ミシン目線）ｄ２からなる解体機能部１５１Ｄ、１６１Ｄが併せて付設される。なお、ここでは、各解体機能部１５１Ｄ、１６１Ｄを直線状の切り込み線ｄ２からなるものとしたが、直線状の罫線又は切り込み線又はこれらの組み合わせとしてもよい。
さらに、この場合、両側面板１５、１６に連接される各フラップ１９、２０においても、幅方向中央に、各フラップ１９、２０の左端縁部付近から右端縁部付近まで、各側面板１５、１６の解体機能部１５Ｄ、１６Ｄの中央、この場合、略台形状の破断線ｄ３の頂部中央に向けて直線状に延びる切り込み線ｄ２からなる解体機能部１９Ｄ、２０Ｄを付設される。なお、ここでは、解体機能部１９Ｄ、２０Ｄを直線状の切り込み線ｄ２からなるものとしたが、直線状の罫線又は切り込み線又はこれらの組み合わせとしてもよい。
【００２４】
このようにして箱Ｃ３は正面板１１から背面板１３に向けて又はその反対に圧することにより、つまり、正面板１１を背面板１３に向けて又はその反対に軽く打撃を加えたり押し込んだりすることにより、箱Ｃ３が扁平状に圧潰されるようになっている。
すなわち、箱Ｃ３を、正面板１１（又は背面板１３）を上に向けて、机やテーブルあるいは台の上など平らな所に置き、片手又は両手で正面板１１から背面板１３に向けて（又はその反対に）各板１１、１３全体に軽く打撃を加える（つまり、軽く叩く）と、図１０に示すように、両側面板１５、１６の各解体機能部１５Ｄ、１６Ｄ、つまり、ジッパー線の各破断線ｄ３が破断されて各側面板１５、１６の略台形の部分が各側面板１５、１６から切り離されて箱Ｃ３の外側に突出され、底面板１２は、底面板１２の解体機能部１２Ｄ、つまり、直線状の切り込み線ｄ２の案内により、この切り込み線ｄ２が箱Ｃ３の外側に突出し、底面板１２の幅方向中央で折れて、箱Ｃ３の外側に偏平状に折り畳まれ、この底面板１２の折り畳みとともに、両側面板１５、１６から破断された各台形の部分が、各側面板１５、１６の各解体機能部１５１Ｄ、１６１Ｄ、つまり、直線状の各切り込み線ｄ２の案内により、各側面板１５、１６の幅方向中央で折れて、箱Ｃ３の外側に偏平状に折り畳まれ、さらに、各側面板１５、１６及び各フラップ１９、２０は、各フラップ１９、２０の解体機能部１９Ｄ、２０Ｄ、つまり、直線状の各切り込み線ｄ２の案内により、これらの切り込み線ｄ２が箱Ｃ３の外側に突出し、各フラップ１９、２０の幅方向中央で折れて、箱Ｃ３の外側に偏平状に折り畳まれて、全体として略偏平状に圧潰される。
これにより、使用済みの箱Ｃ３を扁平状に小さくして廃棄することができる。
このようにしても第１の実施の形態と同様の作用効果を奏することができる。
【００２５】
図１１、図１２に第４の実施の形態を示している。
図１１に示すように、この包装用箱Ｃ４は第１の実施の形態と共通の紙基材Ｐからなり、箱Ｃ４それ自体は第１の実施の形態と共通の箱になっていて、解体機能部が一部異なる。ここでは、箱Ｃ４それ自体については、第１の実施の形態と同じ符号を付してその説明を省略し、この箱Ｃ４の解体機能部についてのみ、第１の実施の形態と同じ部分には同じ符号を付し、異なる部分には新たな符号を付して、説明する。
【００２６】
この包装用箱４においても、左右両側面板１５、１６、底面板１２、各フラップ１９、２０にそれぞれ、解体機能部１５Ｄ，１５１Ｄ、１６Ｄ，１６１Ｄ、１２Ｄ、１９Ｄ、２０Ｄを備える。
この場合、左右両側面板１５、１６には底面板１２側の端部側半面に、各側面板１５、１６の底面板１２側の端縁部の両端から天面板１４側の端縁部に向けて略台形状に延びるジッパー線の破断線ｄ３からなる解体機能部１５Ｄ、１６Ｄが付設される。なお、ここでは、各解体機能部１５Ｄ、１６Ｄを略台形状の破断線ｄ３からなるものとしたが、略三角形状又は略円弧状又は略半円状の破断線としてもよい。
また、底面板１２には幅方向中央に、各側面板１５、１６の解体機能部１５Ｄ、１６Ｄの中央、この場合、略台形状の破断線ｄ３の頂部中央に向けて直線状に延びる切り込み線（この場合、ミシン目線）ｄ２と、この切り込み線ｄ２の両端に連続して底面板１２の各側面板１５、１６側の各端部で底面板１２の各側面板１５、１６側の端縁部の両端に向けて略Ｖ字形に延びる罫線ｄ１及び切り込み線ｄ２の組み合わせとからなる解体機能部１２Ｄが付設される。なお、ここでは、解体機能部１２Ｄを直線状の部分が切り込み線ｄ２からなり、各Ｖ字形の部分が罫線ｄ１及び切り込み線ｄ２の組み合わせからなるものとしたが、いずれも罫線又は切り込み線又はこれらの組み合わせとしてもよい。
また、この場合、両側面板１５、１６の幅方向中央で各側面板１５、１６の底面板１１２側の端縁部と各側面板１５、１６の解体機能部１５Ｄ、１６Ｄとの間に、各側面板１５、１６の解体機能部１５Ｄ、１６Ｄの中央に向けて、つまり、底面板１２の切り込み線ｄ２の延長上で各側面板１５、１６の略台形状の破断線ｄ３の頂部中央に向けて直線状に延びる切り込み線（この場合、ミシン目線）ｄ２からなる解体機能部１５１Ｄ、１６１  Ｄが併せて付設される。なお、ここでは、各解体機能部１５１Ｄ、１６１Ｄを直線状の切り込み線ｄ２からなるものとしたが、直線状の罫線又は切り込み線又はこれらの組み合わせとしてもよい。
さらに、この場合、両側面板１５、１６に連接される各フラップ１９、２０においても、幅方向中央に、各フラップ１９、２０の左端縁部付近から右端縁部付近まで、各側面板１５、１６の解体機能部１２Ｄの中央、この場合、略台形状の破断線ｄ３の頂部中央に向けて直線状に延びる切り込み線ｄ２からなる解体機能部１９Ｄ、２０Ｄを付設される。なお、ここでは、解体機能部１９Ｄ、２０Ｄを直線状の切り込み線ｄ２からなるものとしたが、直線状の罫線又は切り込み線又はこれらの組み合わせとしてもよい。
【００２７】
このようにして箱Ｃ４は正面板１１から背面板１３に向けて又はその反対に圧することにより、つまり、正面板１１を背面板１３に向けて又はその反対に軽く打撃を加えたり押し込んだりすることにより、箱Ｃ４が扁平状に圧潰されるようになっている。
すなわち、箱Ｃ４を、正面板１１（又は背面板１３）を上に向けて、机やテーブルあるいは台の上など平らな所に置き、片手又は両手で正面板１１から背面板１３に向けて（又はその反対に）各板１１、１３全体に軽く打撃を加える（つまり、軽く叩く）と、図１２に示すように、両側面板１５、１６の各解体機能部１５Ｄ、１６Ｄ、つまり、ジッパー線の破断線ｄ３が破断されて各側面板１５、１６の略台形の部分が各側面板１５、１６から切り離され、底面板１２は、底面板１２の解体機能部１２Ｄ、つまり、直線状の切り込み線ｄ２の案内により、この切り込み線ｄ２が箱Ｃ４の外側に突出し底面板１２の幅方向中央で折れて、箱Ｃ４の外側に突出して偏平状に折り畳まれるとともに、この底面板１２の両端が底面板１２の解体機能部１２Ｄ、つまり、各Ｖ字形の罫線ｄ１及び切り込み線ｄ２の組み合わせの案内により、各罫線ｄ１及び切り込み線ｄ２の組み合わせが各側面板１５、１６から切り離された各台形の部分とともに箱Ｃ４の内側に引き込まれながら、底面板１２の両端の幅方向中央で折れて（各側面板１５、１６から切り離された各台形の部分は各側面板１５、１６の幅方向中央で折れて）、箱Ｃ４の内側で偏平状に折り畳まれ、さらに、各側面板１５、１６及び各フラップ１９、２０が、各フラップ１９、２０の解体機能部１９Ｄ、２０Ｄ、つまり、直線状の各切り込み線ｄ２の案内により、これらの切り込み線ｄ２が箱Ｃ４の外側に突出し、各フラップ１９、２０の幅方向中央で折れて、箱Ｃ４の外側に偏平状に折り畳まれて、全体として略偏平状に圧潰される。
これにより、使用済みの箱Ｃ４を扁平状に小さくして廃棄することができる。
このようにしても第１の実施の形態と同様の作用効果を奏することができる。
【００２８】
なお、第１から第４の各実施の形態では、箱Ｃ１−Ｃ４の正面板１１から背面板１３に向けて（又はその反対に）各板１１、１３全体に軽く打撃を加える（つまり、軽く叩く）ことにより、箱Ｃ１−Ｃ４を扁平状に押し潰すものとして例示したが、箱Ｃ１−Ｃ４の正面板１１と背面板１３の左右両側縁部間を押し合わせながら、箱Ｃ１−Ｃ４を扁平状に折り畳むこともできることは勿論である。箱Ｃ１−Ｃ４の解体は、ユーザーの好まれる解体方法によることとなる。
【符号の説明】
【００２９】
Ｃ１  解体機能付き包装用箱
１１ 正面板
１１１  切り込み
１２ 底面板
１３ 背面板
１４ 天面板
１４０  開口（凹状部）
１４１  延長片
１４２  破断線（ジッパー線）
１４３  接着部
１４４  係止爪
１５  （左）側面板
１６  （右側面板
１７、１８  接着片
１９、２０  フラップ
Ｐ  紙基材
Ｌ１−Ｌ１２  罫線
１２Ｄ  解体機能部
ｄ２  切り込み線
１５Ｄ  解体機能部
ｄ２  切り込み線
１５１Ｄ  解体機能部
ｄ２  切り込み線
１６Ｄ  解体機能部
ｄ２  切り込み線
１６１Ｄ  解体機能部
ｄ２  切り込み線
１９Ｄ  解体機能部
ｄ２  切り込み線
２０Ｄ  解体機能部
ｄ２  切り込み線
Ｃ２  解体機能付き包装用箱
１２Ｄ  解体機能部
ｄ１、ｄ２  罫線及び切り込み線の組み合わせ
ｄ１  罫線
１５Ｄ  解体機能部
ｄ２  切り込み線
１５１Ｄ  解体機能部
ｄ１  罫線
１６Ｄ  解体機能部
ｄ２  切り込み線
１６１Ｄ  解体機能部
ｄ１  罫線
１９Ｄ  解体機能部
ｄ２  切り込み線
２０Ｄ  解体機能部
ｄ２  切り込み線
Ｃ３  解体機能付き包装用箱
１２Ｄ  解体機能部
ｄ２  切り込み線
１５Ｄ  解体機能部
ｄ３  破断線（ジッパー線）
１５１Ｄ  解体機能部
ｄ２  切り込み線
１６Ｄ  解体機能部
ｄ３  破断線（ジッパー線）
１６１Ｄ  解体機能部
ｄ２  切り込み線
１９Ｄ  解体機能部
ｄ２  切り込み線
２０Ｄ  解体機能部
ｄ２  切り込み線
Ｃ４  解体機能付き包装用箱
１２Ｄ  解体機能部
ｄ２  切り込み線
ｄ１、ｄ２  罫線及び切り込み線の組み合わせ
１５Ｄ  解体機能部
ｄ３  破断線（ジッパー線）
１５１Ｄ  解体機能部
ｄ２  切り込み線
１６Ｄ  解体機能部
ｄ３  破断線（ジッパー線）
１６１Ｄ  解体機能部
ｄ２  切り込み線
１９Ｄ  解体機能部
ｄ２  切り込み線
２０Ｄ  解体機能部
ｄ２  切り込み線
【図１】
2019142538.tif 000003
【図２】
2019142538.tif 000004
【図３】
2019142538.tif 000005
【図４】
2019142538.tif 000006
【図５】
2019142538.tif 000007
【図６】
2019142538.tif 000008
【図７】
2019142538.tif 000009
【図８】
2019142538.tif 000010
【図９】
2019142538.tif 000011
【図１０】
2019142538.tif 000012
【図１１】
2019142538.tif 000013
【図１２】
2019142538.tif 000014